(57)【要約】【課題】入力軸を回転する手動ハンドルは常に回転操作が得意な一方向にのみ回転させて、出力軸は正逆双方向へ自在に回転できる回転伝達装置を提供する。【解決手段】回転伝達装置１の入力軸３が突き出た側面部に第２入力軸５が設置されている。第２入力軸５の基部に設けられた歯車７を入力軸３に設けられた歯車６とを噛み合わせて両軸３、５が連結されている。入力軸３および第２入力軸５へ共通の手動ハンドル１０を取り付け、取り外し自在に構成されている。【選択図】図１
2007092973.tif 000002
【特許請求の範囲】
【請求項１】
入力軸を回転することにより出力軸を正逆双方向へ自在に回転できるが、出力軸は回転力を受けても正逆いずれの方向にも回転不能に構成された回転伝達装置において、
前記回転伝達装置の入力軸が突き出た側面部に、前記入力軸と平行に突き出る第２入力軸が設置されており、
前記第２入力軸の基部に設けられた歯車を前記入力軸に設けられた歯車と噛み合わせて両軸が連結されており、
前記入力軸および第２入力軸へ共通の手動ハンドルを取り付け、取り外し自在に構成されていることを特徴とする、回転伝達装置。
【請求項２】
入力軸および第２入力軸の外端部に、共通する構成のトルク受け部が形成されており、
手動ハンドルの軸継手部には、前記入力軸および第２入力軸のトルク受け部と連結して回転力を伝達するトルク伝達部が形成されており、
前記手動ハンドルの軸継手部を前記入力軸又は第２入力軸の外端部へ取り付けると、トルク受け部とトルク伝達部とが回転力を伝達可能に連結される構成とされていることを特徴とする、請求項１に記載した回転伝達装置。
【請求項３】
トルク受け部とトルク伝達部は、いずれか一方をキーとし、他方をキー溝として連結可能に構成されていることを特徴とする、請求項２に記載した回転伝達装置。
【請求項４】
トルク受け部とトルク伝達部は、いずれか一方を角軸又は六角軸とし、他方を角穴又は六角穴として連結可能に構成されていることを特徴とする、請求項２に記載した回転伝達装置。
【請求項５】
入力軸の歯車の歯数と第２入力軸の歯車の歯数とは、第２入力軸を通じて出力軸を回転したい速度の逆比で構成されていることを特徴とする、請求項１〜４のいずれか一に記載した回転伝達装置。
【発明の詳細な説明】
【技術分野】
【０００１】
この発明は、入力軸を回転することにより出力軸を正逆双方向へ自在に回転できるが、出力軸は大きな回転力を受けても正逆いずれの方向にも回転不能であり、出力軸は入力軸によってのみ回転可能である回転伝達装置の技術分野に属し、更にいえば、入力軸を回転する手動ハンドルは常に回転操作が得意な一方向にのみ回転させて、出力軸は正逆双方向へ自在に回転できる回転伝達装置に関する。
【背景技術】
【０００２】
従来、出力軸を入力軸によってのみ回転可能な回転伝達装置は、例えばビニールハウスの換気口を開閉するシート巻き軸の回転に使用することを目的として、本出願人が種々開発し提案して、既に種々公知である。例えば特許文献１に開示された回転伝達装置は、出力軸と入力軸が中心線が一致する配置にスナップリング形状の摩擦板を挟んで突き合わされ、出力軸の被回転体の端面に伝達ピン及び制動突起が設けられており、摩擦板は内周縁に凹部及び制動突起が当接するロックカム面を備え、伝達ピン及び制動突起は摩擦板の内周側に配置され、入力軸の回転体には伝達ピン及び制動突起が挿入される駆動孔が設けられ、回転体の内端面には摩擦板の凹部を押す制動解除用凸部が設けられた構成である。  
【０００３】
特許文献２に開示された回転伝達装置は、出力軸の回転を阻止するロックピンと、入力軸の回転を出力軸へ伝達する非回転凸部とを各々独立の構成で設け、回転ロック機能と回転伝達機構の構成を夫々独立させた構成である。
【０００４】
特許文献３及び特許文献４に開示された回転伝達装置は、コイルバネ形状の制動部材を制動ドラムの外周に設置し、制動部材に過大な負荷回転力が加わる出力軸の回転に際しては、制動力を発生させて回転不能とし、必然的に制動ドラムは制動部材を内側から拘束する部材としても働かせて制動作用を高効率に発揮させ、座屈ないし降伏の問題を防ぐ。逆に入力軸の回転時には、制動部材のねじりを緩めることによって制動ドラムとの摩擦力を可及的に軽減して動力損失をできるだけ少なくし、軽く回転操作できる構成である。
【０００５】
【特許文献１】特許第２８４７６１８号公報
【特許文献２】特開２０００−２６６１５２号公報
【特許文献３】特開２０００−３４６１６７号公報
【特許文献４】特開２００２−１７４３２０号公報
【発明の開示】
【発明が解決しようとする課題】
【０００６】
上記特許文献１〜４に記載された回転伝達装置は、いずれも入力軸を手動ハンドルにより回転して出力軸を正・逆方向に回転させ、入力軸の回転を止めた位置で出力軸も確実に回転が止まるので、操作者の意思通りに操作できる応答性の良さに優れ、構造的にも実用的にも完成度が高い。
しかし、特許文献１〜４に記載された回転伝達装置は、いずれも手動ハンドルの回転方向を正逆双方向に変えることによって、出力軸を正転方向（時計回り）又は逆転方向（反時計回り）に回転させる構成である。
しかし、人間が手動ハンドルを回転する動作を子細に検討すると、通例、正転方向（時計回り）に回転する動作が得意で使い勝手がよく、不得意な逆転方向（反時計回り）の回転に比して作業能率が高く、作業が楽であることは使用者が等しく実体験として知るところである。
【０００７】
そこで、本発明の目的は、手動ハンドルによる入力軸の回転操作を、常に得意な、又は使い勝手の良い一方向（例えば正転方向）にのみ行って良く、それでいて出力軸は正逆双方向へ自在に回転できる構成であり、よって使い易く、作業能率を高められる回転伝達装置を提供することである。
【０００８】
本発明の次の目的は、手動ハンドルを得意な正転方向にのみ回転して使用できる上に、出力軸を用途、機能に応じて増速又は減速したり、或いは負荷の大きさに応じて倍力効果が得られる構成の回転伝達装置を提供することである。
【課題を解決するための手段】
【０００９】
上述した従来技術の課題を解決するための手段として、請求項１に記載した発明に係る回転伝達装置は、
入力軸３を回転することにより出力軸４を正逆双方向へ自在に回転できるが、出力軸４は回転力を受けても正逆いずれの方向にも回転不能に構成された回転伝達装置１において、
前記回転伝達装置１の入力軸３が突き出た側面部に、前記入力軸３と平行に突き出る第２入力軸５が設置されており、
前記第２入力軸５の基部に設けられた歯車７を前記入力軸３に設けられた歯車６とを噛み合わせて両軸３、５が連結されており、
前記入力軸３および第２入力軸５へ共通の手動ハンドル１０を取り付け、取り外し自在に構成されていることを特徴とする。
【００１０】
請求項２記載の発明は、請求項１に記載した回転伝達装置において、
入力軸３および第２入力軸５の外端部に、共通する構成のトルク受け部３’及び５’が形成されており、
手動ハンドル１０の軸継手部１１には、前記入力軸３および第２入力軸５のトルク受け部３’、５’と連結して回転力を伝達するトルク伝達部１１’が形成されており、
前記手動ハンドル１０の軸継手部１１を前記入力軸３又は第２入力軸５の外端部へ取り付けると、トルク受け部３’又は５’とトルク伝達部１１’とが回転力を伝達可能に連結される構成とされていることを特徴とする。
【００１１】
請求項３記載の発明は、請求項２に記載した回転伝達装置において、
トルク受け部３’、５’とトルク伝達部１１’は、いずれか一方をキーとし、他方をキー溝として連結可能に構成されていることを特徴とする。
【００１２】
請求項４記載の発明は、請求項２に記載した回転伝達装置において、
トルク受け部３’、５’とトルク伝達部１１’は、いずれか一方を角軸又は六角軸とし、他方を角穴又は六角穴として連結可能に構成されていることを特徴とする。
【００１３】
請求項５記載の発明は、請求項１〜４のいずれか一に記載した回転伝達装置において、
入力軸５の歯車７の歯数と第２入力軸３の歯車６とは、第２入力軸５を通じて出力軸４を回転したい速度の逆比で構成されていることを特徴とする。
【発明の効果】
【００１４】
請求項１〜４に記載した発明に係る回転伝達装置１は、入力軸３と平行に突き出る第２入力軸５を併設し、両軸３、５は相互に噛み合う歯車６、７で連結したから、共通な手動ハンドル１０で入力軸３を得意な正転方向（例えば時計回り）に回転すると出力軸４も正転することはもとより、第２入力軸５も同じく得意な正転方向（時計回り）に回転しても、歯車伝動の原理により、出力軸４を逆転方向（反時計回り）に回転できる。つまり、手動ハンドル１０は常に得意な正転方向にのみ回転して、出力軸４を正転又は逆転方向に回転させることができる。よって、この回転伝達装置１を、例えばビニールハウスの換気口を開閉するシート巻き軸１２の巻き上げ又は巻き下ろし手段に用いた場合、シート巻き軸１２の正転と逆転（換気口の開閉）を入力軸３と第２入力軸５の使い分けにより、手動ハンドル１０は常に得意な一方向（正転方向）にのみ回転操作して自在に開閉できるから、使い易く、作業能率を高めることができる。
【００１５】
請求項５に記載した発明に係る回転伝達装置１は、第２入力軸５の歯車７の歯数と入力軸３の歯車６の歯数とを、出力軸４を回転したい速度の逆比で構成することにより、例えばビニールシート巻き軸１２を巻き上げるときのように出力軸４の回転負荷が大きい回転については、第２入力軸５の回転を減速する歯数比で構成した場合、出力軸４の回転に倍力効果が得られ、女性や老人であっても苦もなく手動ハンドル１０を回転操作することができる。逆に、シート巻き軸１２を巻き下ろすときのように、出力軸４の回転負荷が小さい回転については、入力軸３及び出力軸４を手動ハンドル１０と同じ回転速度で回転し目的作業を速く行うことができ至便である。
【発明を実施するための最良の形態】
【００１６】
回転伝達装置１の入力軸３が突き出た側面部に、前記入力軸３と平行に突き出る第２入力軸５が設置されている。第２入力軸５の基部に設けられた歯車７と、前記入力軸３に設けられた歯車６とを噛み合わせて連結されている。入力軸３および第２入力軸５へ手動ハンドル１０を取り付け、取り外し自在に構成されている。
【実施例１】
【００１７】
以下に、本発明を図示した実施例に基づいて説明する。  
図１は、手動ハンドル１０で入力軸３又は第２入力軸５を回転することにより、出力軸４を正逆双方向へ自在に回転できるが、出力軸４が大きな回転力を受けても正逆いずれの方向にも回転不能であり、出力軸４は入力軸３によってのみ回転可能な回転伝達装置１を、ビニールハウスのシート巻き軸１２の回転手段に使用した実施例を示している。使用者は、片手（図１では左手）で回転伝達装置１の把手１４を掴んで使用の姿勢を保ち、反対の手（右手）で手動ハンドル１０のグリップを握り回転操作を行う。回転伝達装置１のケーシング２中央を上下方向に貫通する通孔１５へ、下端を地面に突き刺して立てたガイドパイプ１３を垂直に通す。前記ガイドパイプ１３に沿って回転伝達装置１の上下移動を行わしめることで、シート巻き軸１２の回転と共にビニールハウスの被覆シート１６の巻き上げ又は巻き下しが行え、換気口の開閉を行うことができる。
この回転伝達装置１の主要部分（ケーシング２の内部）の構成は、例えば上記の特許文献１〜４に開示されて既に種々公知、周知であるため、その具体的な図示と説明は省略する。
【００１８】
本発明の回転伝達装置１は、図１、図２に示すとおり、入力軸３が突き出された側面部に、入力軸３と平行に突き出る配置で、同入力軸３と同形、同大の第２入力軸５が併設され、両軸３、５に共通の手動ハンドル１０が使用される構成を特徴としている。前記第２入力軸５は、図２〜図４に示すように、回転伝達装置１のケーシング２に形成された軸受部の軸受２ａと、前記ケーシング２の軸受部外面へ被せる軸受板８に設けた軸受８ａとにより両端支持されている。前記軸受板８は、ケーシング２へボルト９で接合されている。前記入力軸３と第２入力軸５の基部にはそれぞれ同形、同大（同歯数）の歯車６、７が一体的に設けられ、両歯車６、７が一連に噛み合わされ連結されている。歯車６、７はケーシング２の凹部内に収納されて軸受板８で覆われ、前記入力軸３及び第２入力軸５の外端部のみが軸受板８から外方へ突き出され、それぞれの外端部が共通の手動ハンドル１０を使用可能なトルク受け部３’、５’として構成されている。
したがって、手動ハンドル１０を入力軸３へ取付け得意な正転方向（時計回り）に回転すると出力軸４も正転する。また、第２入力軸５へ手動ハンドル１０を取付けて得意な正転方向（時計回り）へ回転すると、歯車伝動の原理より、出力軸４は逆転方向（反時計回り）に回転する。
【００１９】
前記入力軸３および第２入力軸５を回転させる手動ハンドル１０の軸継手部１１は、入力軸３及び第２入力軸５へ共通に取り付け、取り外し可能なトルク伝達部１１’として構成とされている。具体的には、図２及び図４に示すように、前記入力軸３および第２入力軸５の外端部に、同形、同大のトルク受け部として、図示例の場合にはキー溝３’、５’が形成されている。一方、手動ハンドル１０には、軸継手部１１の中空部１１ａ内の奥端に、前記入力軸３および第２入力軸５のキー溝３’、５’と噛み合い回転力を伝達するトルク伝達部としてキー１１’が形成されている。つまり、前記手動ハンドル１０の軸継手部１１は、前記入力軸３又は第２入力軸５の外端部へ嵌めて取り付けるだけでの単純作業で、キー溝３’又は５’とキー１１’とが回転力を伝達可能に連結される。したがって、手動ハンドル１０は、入力軸３又は第２入力軸５を使用の目的（出力軸４の回転方向）に応じて使い分け、共通に使用することができる（請求項２及び請求項３記載の発明）。
【００２０】
勿論、前記トルク受け部３’、５’としてキーが形成され、逆に前記トルク伝達部１１’としてキー溝が形成された構成で実施してもよい。また、前記トルク受け部３’、５’及びトルク伝達部１１’を、前記キー溝形状及びキー形状として形成する他に、例えば相互に嵌り合う角軸形状と角穴形状の組合わせ、或いは六角軸形状と六角穴形状の組合わせ等々の関係で実施することもできる（請求項４記載の発明）。
【００２１】
本発明の回転伝達装置１は、上記のように構成したから、例えばビニールシート巻き軸１２を巻き下ろすとき、即ち、図１の出力軸４を逆転方向（反時計回り）へ回転させる場合は、手動ハンドル１０を第２入力軸５へ取り付けて該第２入力軸５を正転方向へ回転させると、出力軸４は歯車伝動により逆転する。一方、ビニールシート巻き軸１２を巻き上げるとき、即ち、出力軸４を正転方向（時計回り）へ回転させる場合は、手動ハンドル１０を入力軸３へ取り付けて該入力軸３をやはり正転方向（時計回り）へ回転させる。つまり、シート巻き軸１２の正転と逆転（換気口の開閉）は、入力軸３と第２入力軸５の使い分けにより、手動ハンドル１０は常に使用者が得意な一方向（正転方向＝時計回り方向）にのみ回転操作して自在に開閉できるから、使い易く、作業能率を高めることができる。
【００２２】
なお、図示は省略したが、本発明の回転伝達装置１は、図１で示したビニールハウスの側面に設けられた換気口を開閉するシート巻き軸１２の回転に使用するほか、例えば連棟ビニールハウスの谷部に設けられた換気口を開閉するシート巻き軸の回転に使用したり、その他の用途に使用することができる。
【実施例２】
【００２３】
図５は、第２入力軸５の基部に設けられた小歯車７を歯数１５とし、入力軸３に設けられた大歯車６は歯数３０として構成した実施例を示している。即ち、第２入力軸５の回転は、入力軸３及び出力軸４へ１／２の回転速度で伝達され、逆に２倍のトルクで出力軸４を回転できる構成とされている。なお、入力軸３と第２入力軸５の歯車６、７の歯数比は、要するに、出力軸４を回転したい速度に応じた歯数比で実施することができる（請求項５記載の発明）。
【００２４】
したがって、ビニールシート巻き軸１２を巻き上げるときのように出力軸４の回転負荷が大きい回転については、減速するけれども、逆に倍力効果が得られる速度比（歯数比）の構成を実施できる。かくすると、手動ハンドル１０の回転負荷を１／２に軽減でき、女性や老人であっても苦もなく手動ハンドル１０を回転することができる。逆に、シート巻き軸１２を巻き下ろすときのように、出力軸４の回転負荷が小さい回転については、出力軸４は手動ハンドルと１：１の回転比で回転でき、開口の閉鎖作業を迅速に行うことができる。
【００２５】
以上に本発明を実施例に基づいて説明したが、本発明は図示した実施例に何ら限定されるものではない。本発明の要旨を逸脱しない範囲において、種々の形態で実施し得る。
【図面の簡単な説明】
【００２６】
【図１】本発明に係る回転伝達装置の使用状態を示した斜視図である。
【図２】入力軸および第２入力軸から手動ハンドルを取り外した状態を示した斜視図である。
【図３】本発明に係る回転伝達装置の内部構成を示した斜視図である。
【図４】本発明に係る回転伝達装置の横断面図である。
【図５】実施例２の回転伝達装置の内部構成を示した斜視図である。
【符号の説明】
【００２７】
１            回転伝達装置
２            ケーシング
３            入力軸
３’、５’    トルク受け部
４            出力軸
５            第２入力軸
６、７        歯車
１０          手動ハンドル
１１          軸継手部
１１’        トルク伝達部
【図１】
2007092973.tif 000003
【図２】
2007092973.tif 000004
【図３】
2007092973.tif 000005
【図４】
2007092973.tif 000006
【図５】
2007092973.tif 000007